(57)【要約】【課題】本発明は、建築物の外壁として簡単に組み立てることのできる外壁パネル及びその外壁パネルを補強すると共に連結を容易にするためのリブを提供することを目的とするものである。【解決手段】本発明は、中央に略長方形状の内孔を空けた縦向きの前板又は後板の下端と後板又は前板の上端とを垂直方向から６０°傾けた傾斜板により連設し、前記前板及び後板及び傾斜板の複数箇所に補強部を設けた上で左右両端に連結棒を接続するための連結孔を複数箇所設けた側板を取り付け、前記前板と後板とが連結孔のある位置及び中心位置において入れ替わり傾斜板が連結棒を回避するように配置したことを特徴とするリブの構成とした。【選択図】図１２
2007297862.tif 000002
【特許請求の範囲】
【請求項１】
中央に略長方形状の内孔を空けた縦向きの前板又は後板の下端と後板又は前板の上端とを垂直方向から６０°傾けた傾斜板により連設し、前記前板及び後板及び傾斜板の複数箇所に補強部を設けた上で左右両端に連結棒を接続するための連結孔を複数箇所設けた側板を取り付け、前記前板と後板とが連結孔のある位置及び中心位置において入れ替わり傾斜板が連結棒を回避するように配置したことを特徴とするリブ。
【請求項２】
上面に設けた複数の上凹凸と下面に設けた複数の下凹凸を噛み合わせることにより上下に連結可能であり、かつ、前面に突出させた窪みを有する突条と後面に形成した縦溝を嵌め合わせることにより前後に連結可能であり、前記上面から下面に抜ける貫通孔を複数箇所設け、前記貫通孔と貫通孔との間において左側面から右側面に渡り請求項１に記載のリブを設置し、前記リブと裏板とを連結棒で繋いだ際に生じる空間にコンクリートを流し込むことにより外壁を形成することができることを特徴とする外壁パネル。
【発明の詳細な説明】
【技術分野】
【０００１】
本発明は、建築物の外壁として使用される外壁パネル及びその外壁パネルを連結するためのリブに関する発明である。
【背景技術】
【０００２】
アパート又はマンション等の外壁としては、鉄製、石製又はコンクリート製等の重量のあるものが使用されてきたが、発泡スチロール製の外壁パネルを組み合わせて、耐火性、耐熱性、耐震性及び遮音性に優れた外壁とすることもできる。
【０００３】
特許文献１に記載されているように、外壁パネル間にコンクリートを流し込んだ際に空洞の出来にくい連結材の発明も公開されている。
【特許文献１】特開２００５−３３６８９９号公報
【発明の開示】
【発明が解決しようとする課題】
【０００４】
しかしながら、特許文献１に記載の発明は、外壁パネルに連結材を埋め込むようにして取り付けるため、外壁パネルの強度が弱くなったり、連結材を取り付けづらい等の問題があった。
【０００５】
そこで、本発明は、建築物の外壁として簡単に組み立てることのできる外壁パネル及びその外壁パネルを補強すると共に連結を容易にするためのリブを提供することを目的とするものである。
【課題を解決するための手段】
【０００６】
本発明は、上記の課題を解決するために、中央に略長方形状の内孔３ｈを空けた縦向きの前板３ｂ又は後板３ｃの下端と後板３ｃ又は前板３ｂの上端とを垂直方向から６０°傾けた傾斜板３ｄにより連設し、前記前板３ｂ及び後板３ｃ及び傾斜板３ｄの複数箇所に補強部３ｇを設けた上で左右両端に連結棒４を接続するための連結孔３ｆを複数箇所設けた側板３ｅを取り付け、前記前板３ｂと後板３ｃとが連結孔３ｆのある位置及び中心位置において入れ替わり傾斜板３ｄが連結棒４を回避するように配置したことを特徴とするリブ３、３ａの構成、並びに、上面に設けた複数の上凹凸２ｂと下面に設けた複数の下凹凸２ｃを噛み合わせることにより上下に連結可能であり、かつ、前面に突出させた窪み２ｅを有する突条２ｄと後面に形成した縦溝２ｆを嵌め合わせることにより前後に連結可能であり、前記上面から下面に抜ける貫通孔２ｈを複数箇所設け、前記貫通孔２ｈと貫通孔２ｈとの間において左側面から右側面に渡りリブ３、３ａを設置し、前記リブ３、３ａと裏板１ａとを連結棒４で繋いだ際に生じる空間５にコンクリート５ａを流し込むことにより外壁１を形成することができることを特徴とする外壁パネル２の構成とした。
【発明の効果】
【０００７】
本発明は、以上の構成であるから以下の効果が得られる。第１に、外壁パネルの複数箇所にリブを設置することにより、連結棒の取付けが容易となる。外壁パネルの使い勝手が良くなり、外壁の組立作業の効率も向上する。
【０００８】
第２に、リブの前板と後板を６０°に傾けた傾斜板で連設することにより、リブ自体の強度を向上させ、更に、リブを外壁パネルに設置することにより、外壁パネルの強度を落とすことなく、連結棒を取り付けることができる。
【発明を実施するための最良の形態】
【０００９】
本発明は、建築物の外壁として簡単に組み立てることのできる外壁パネル及びその外壁パネルを補強すると共に連結を容易にするためのリブを提供するという目的を、中央に略長方形状の内孔３ｈを空けた縦向きの前板３ｂ又は後板３ｃの下端と後板３ｃ又は前板３ｂの上端とを垂直方向から６０°傾けた傾斜板３ｄにより連設し、前記前板３ｂ及び後板３ｃ及び傾斜板３ｄの複数箇所に補強部３ｇを設けた上で左右両端に連結棒４を接続するための連結孔３ｆを複数箇所設けた側板３ｅを取り付け、前記前板３ｂと後板３ｃとが連結孔３ｆのある位置及び中心位置において入れ替わり傾斜板３ｄが連結棒４を回避するように配置したことを特徴とするリブ３、３ａを使用することにより実現した。
【実施例１】
【００１０】
以下に、添付図面に基づいて、本発明であるリブ及び外壁パネルについて詳細に説明する。図１は、本発明であるリブ及び外壁パネルの実施例１である外壁パネルを使用した外壁の斜視図である。
【００１１】
外壁パネル２は、上面に設けた複数の上凹凸２ｂと下面に設けた複数の下凹凸２ｃを噛み合わせることにより上下に連結可能であり、かつ、前面に突出させた窪み２ｅを有する突条２ｄと後面に形成した縦溝２ｆを嵌め合わせることにより前後に連結可能である。
【００１２】
上面から下面に抜ける貫通孔２ｈを複数箇所設け、貫通孔２ｈと貫通孔２ｈとの間において左側面から右側面に渡りリブ３、３ａを設置し、リブ３、３ａと裏板１ａとを連結棒４で繋いだ際に生じる空間５にコンクリート５ａを流し込むことにより外壁１を形成することができる。
【００１３】
外壁１は、コンクリート５ａ等と発泡スチロール２ａ製の外壁パネル２とを組み合わせた耐火性、耐熱性、耐震性及び遮音性に優れた壁であり、表面に化粧材１ｂ等を張り付けて美観良く仕上げたものである。
【００１４】
図１に示すように、外壁１を施工する際は、複数の外壁パネル２を上方、下方、前方又は後方に連結し、連結棒４で裏板１ａを固定した上で、外壁パネル２と裏板１ａとの間の空間５にコンクリート５ａを流し込む。
【００１５】
外壁パネル２は、発泡スチロール２ａを略直方体状に成形したもので、外壁１の一部を構成し、組み立てることにより外壁１が形成される。部品化することにより軽量化し、運搬など取扱いも容易となる。
【００１６】
リブ３は、外壁パネル２を補強するため、外壁パネル２と裏板１ａとを連結棒４で接続するため、及び外壁パネル２の表面に化粧材１ｂを取り付けるために、外壁パネル２の側面に設けられる金属又は樹脂製の部材である。
【００１７】
連結棒４は、金属又は樹脂製の棒状の部材であり、施工時は外壁パネル２と裏板１ａとの間の空間５にコンクリート５ａを流し込むために外壁パネル２と裏板１ａを固定し、完成後は外壁パネル２をコンクリート５ａに固定する。
【００１８】
裏板１ａは、ベニヤ板などの木板であり、外壁パネル２の裏側に空間５を確保しコンクリート５ａの型枠を形成するために使用する。尚、空間５に流し込んだコンクリート５ａが固まった後は取り外す。
【００１９】
図２〜図６は、本発明であるリブ及び外壁パネルの実施例１である外壁パネルの６面図で、図２は正面図、図３は背面図、図４は平面図、図５は底面図、図６は左側面図である。尚、右側面図は左側面図と同様であるため省略する。
【００２０】
外壁パネル２は、略直方体状の壁材であり、素材は発泡スチロール２ａである。上面には上凹凸２ｂが設けられ、下面には下凹凸２ｃが設けられる。また、前面には突条２ｄが突出し、後面には縦溝２ｆが形成される。
【００２１】
上凹凸２ｂは、菱形柱状の部材を外壁パネル２の上面に一定間隔ごとに配置することにより、凸部と凹部を形成したものである。部材を何列配置するか、１列に何個配置するか、１つの部材のサイズ等については任意である。
【００２２】
下凹凸２ｃは、円柱状又は半円柱状の部材を外壁パネル２の下面に一定間隔ごとに配置することにより、凸部と凹部を形成したものである。部材を何列配置するか、１列に何個配置するか、１つの部材のサイズ等については任意である。
【００２３】
上凹凸２ｂの凸部と下凹凸２ｃの凹部は噛み合わせることが可能であり、また、上凹凸２ｂの凹部と下凹凸２ｃの凸部は噛み合わせることが可能である。上凹凸２ｂと下凹凸２ｃを噛み合わせることにより、外壁パネル２を上下に連結することができる。
【００２４】
上凹凸２ｂを菱形柱状、下凹凸２ｃを円柱状又は半円柱状とすることにより、接触面が少なくなり、嵌め込みやすくなる。また、四方向から押さえ付けられるため、接合後は外れにくくなる。
【００２５】
上凹凸２ｂ及び下凹凸２ｃは、長手方向の中心線上に中央溝２ｇが確保される。上凹凸２ｂと下凹凸２ｃとを噛み合わせた際に、隙間を空けておくことにより、材質の膨張又は収縮に対し柔軟に対応することができる。
【００２６】
図４に示すように、上凹凸２ｂを４列配置すると、下凹凸２ｃは、図５に示すように、端に半円柱状の列、次に円柱状の列、中央に中央溝２ｇがあるため半円柱状の列となり、全部で６列配置される。
【００２７】
突条２ｄは、外壁パネル２の前面において、上面から下面にかけて略半円柱状に突出させたものである。また、縦溝２ｆは、外壁パネル２の後面において、上面から下面にかけて半円柱状にへこましたものである。
【００２８】
突条２ｄと縦溝２ｆとは、嵌め合わせることが可能であり、外壁パネル２を前後に連結することができる。尚、突条２ｄの中央には、上面から下面にかけて窪み２ｅが空けられており、材質の膨張又は収縮に対し柔軟に対応することができる。
【００２９】
外壁パネル２の上面から下面にかけて複数の貫通孔２ｈを空けることもできる。外壁パネル２にはリブ３も埋め込まれるので、貫通孔２ｈを空ける位置は、リブ３のない箇所にすることが好ましい。
【００３０】
図４及び図５は、長手方向の中心線上に長円状の貫通孔２ｈを５箇所空けた場合の例である。貫通孔２ｈを空けることにより、外壁パネル２が軽量化されると共に、通気性が良くなり、材質の膨張又は収縮対策にもなる。
【００３１】
リブ３は、外壁パネル２を上面から下面にかけて補強すると共に、連結棒４を接続する箇所を設けるために、外壁パネル２の側面に複数設置される。尚、リブ３の設置数、リブ３同士の間隔等については任意である。
【００３２】
図６に示すように、連結棒４を上部と下部に接続できるリブ３を外壁パネル２に６箇所設置した場合、外壁パネル２と裏板１ａ又はコンクリート５ａとは、１２箇所において固定される。
【００３３】
図７及び図８は、本発明であるリブ及び外壁パネルの実施例１である外壁パネルの断面図で、図７は連結棒４の位置で水平に切断した際の平面断面図、図８はリブ３の位置で垂直に切断した際の正面断面図である。
【００３４】
連結棒４の外壁パネル２側は、リブ３に挿入した上でリブ３の両端において留具４ａで固定する。尚、連結棒４とリブ３に挿入される部分が別の部材である場合には、ジョイナー等を使用して連結しても良い。
【００３５】
連結棒４の裏板１ａ側には、略円錐状のコーン４ｂを置いた上で裏板１ａに連結棒４を貫通させ、裏側に抜けた連結棒４の先端を留具４ｃにより固定する。尚、コーン４ｂは、コンクリート５ａにテーパー状の穴５ｂを空けるために設ける。
【００３６】
連結棒４の長さを変えることにより、生成するコンクリート５ａの厚さを調整することができる。外壁パネル２も簡単に組み立てられることから、高層ビル等においても容易に外壁１を施工することができる。
【００３７】
図９〜図１１は、本発明であるリブ及び外壁パネルの実施例１である外壁パネルを使用した外壁にコンクリートを流し込んだ状態の斜視図で、図１０は裏板を取り外した状態、図１１は表側に化粧材を取り付けた状態である。
【００３８】
外壁パネル２と裏板１ａとの間の空間５にコンクリート５ａを流し込んだ後、裏板１ａを取り外し、外壁パネル２の表側に化粧材１ｂなどを取り付けることにより、外壁１が完成する。
【００３９】
図１０に示すように、連結棒４の裏板１ａ側を締めている留具４ｃを外し、裏板１ａ及びコーン４ｂを取り除した後、再び連結棒４に留具４ｃを取り付け、外壁パネル２とコンクリート５ａを固定する。
【００４０】
連結棒４の先端は、コンクリート５ａから飛び出しているが、連結棒４の周りにはコーン４ｂによりテーパー状の穴５ｂが空いていることから、連結棒４がコンクリート５ａの表面から出ないように、余計な部分を切除することができる。
【００４１】
連結棒４を穴５ｂごとコンクリート５ａで埋め直せば、外壁１の裏側も綺麗に仕上げることができる。また、コンクリート５ａ内を通る連結棒４を留具４ａと留具４ｃで締めるので、コンクリート５ａをより強固に固定することができる。
【００４２】
図１１に示すように、外壁パネル２の表側にタイル状などの化粧材１ｂを取り付ければ、外壁１を美観良く仕上げることができる。尚、化粧材１ｂもリブ３を利用して取り付けることができる。
【００４３】
外壁１は、軽量な外壁パネル２により容易に施工可能であり、コンクリート５ａと発泡スチロール２ａを組み合わせることにより、より耐火性、耐熱性、耐震性及び遮音性を向上させることができる。
【実施例２】
【００４４】
図１２は、本発明であるリブ及び外壁パネルの実施例２であるリブの連結孔が２つの場合の斜視図である。リブ３及びリブ３ａは、外壁パネル２の側面に複数箇所設置される部材である。
【００４５】
リブ３、３ａは、中央に略長方形状の内孔３ｈを空けた縦向きの前板３ｂ又は後板３ｃの下端と後板３ｃ又は前板３ｂの上端とを垂直方向から６０°傾けた傾斜板３ｄにより連設し、前板３ｂ及び後板３ｃ及び傾斜板３ｄの複数箇所に補強部３ｇを設けた上で左右両端に連結棒４を接続するための連結孔３ｆを複数箇所設けた側板３ｅを取り付け、前板３ｂと後板３ｃとが連結孔３ｆのある位置及び中心位置において入れ替わり傾斜板３ｄが連結棒４を回避するように配置したことを特徴とする。
【００４６】
リブ３、３ａは、前板３ｂ、後板３ｃ、傾斜板３ｄ、２枚の側板３ｅ、側板３ｅに空けた複数個の連結孔３ｆ等からなる。尚、前板３ｂと後板３ｃと傾斜板３ｄとは繋がっており、凹凸を形成する。
【００４７】
連結孔３ｆには連結棒４を通し、留具４ａで固定することができる。尚、留具４ａには六角形のナット等が使用され、連結孔３ｆの周りに空けられた同形状の溝に嵌ることで固定することができる。
【００４８】
図１３〜図１５は、本発明であるリブ及び外壁パネルの実施例２であるリブの連結孔が２つの場合の図であり、図１３はリブ３の正面図、図１４はリブ３の平面図、図１５はリブ３の側面図である
【００４９】
前板３ｂは、リブ３において手前側に位置する板であり、後板３ｃは、リブ３において奥側に位置する板である。尚、中央には軽量化のため略長方形状の内孔３ｈが空けられ、枠のみの形状である。
【００５０】
傾斜板３ｄは、リブ３において、前板３ｂの下端と後板３ｃの上端、又は、後板３ｃの下端と前板３ｂの上端を連設する板である。凹凸状にすることにより、リブ３の強度を向上させることができる。
【００５１】
側板３ｅは、リブ３の両側に取り付けられる板であり、連結孔３ｆも空けられる。連結棒４は、連結孔３ｆのある側板３ｅで固定しても良いし、反対側の側板３ｅまで突き通して固定しても良い。
【００５２】
リブ３の強度が弱い箇所には、補強部３ｇ等を取り付けることもできる。例えば、前板３ｂ、後板３ｃ又は傾斜板３ｄと側板３ｅとの接続部分であって、内孔３ｈの周囲、内孔３ｈと内孔３ｈの間などである。
【００５３】
図１６は、本発明であるリブ及び外壁パネルの実施例２であるリブの連結孔が２つの場合の側面断面図である。傾斜板３ｄは、垂直方向から手前側に６０°傾けた状態、又は、奥側に６０°傾けた状態である。
【００５４】
リブ３に形成された凹凸について、前板３ｂと後板３ｃとが切り替わる箇所は、連結孔３ｆの位置と、連結孔３ｆ間の中心位置である。即ち、傾斜板３ｄは、連結孔３ｆの位置と中心位置に存在する。
【００５５】
連結孔３ｆの位置における傾斜板３ｄは、連結孔３ｆに接続した連結棒４を回避するように、上側又は下側に若干位置をずらして配置される。傾斜板３ｄは、連結棒４を挿した際に、連結棒４を支えると共に、連結棒４の先端を導くガイドにもなる。
【００５６】
リブ３の場合、一番上から後板３ｃ、上連結棒４の上を通るように傾斜板３ｄ、前板３ｂ、中央において傾斜板３ｄ、後板３ｃ、下連結棒４の下を通るように傾斜板３ｄ、前板３ｂとなるように凹凸が形成され一番下に至る。
【００５７】
図１７及び図１８は、本発明であるリブ及び外壁パネルの実施例２であるリブの連結孔が３つの場合の図であり、図１７はリブ３ａの正面図、図１８はリブ３ａの側面断面図である。
【００５８】
リブ３ａの場合、一番上から前板３ｂ、上連結棒４の下を通るように傾斜板３ｄ、後板３ｃ、傾斜板３ｄ、前板３ｂ、中央において中連結棒４の下を通るように傾斜板３ｄ、後板３ｃ、傾斜板３ｄ、前板３ｂ、下連結棒４の下を通るように傾斜板３ｄ、後板３ｃとなるように凹凸が形成され一番下に至る。
【００５９】
リブ３、３ａ自体のサイズは、外壁パネル２のサイズに合わせて変更するが、連結孔３ｆの数や、前板３ｂと後板３ｃとを切り替える箇所等については任意であり、バランス等を考慮して適したものに調整することができる。
【００６０】
以上のように、本発明であるリブ及び外壁パネルは、外壁パネルの複数箇所にリブを設置することにより、連結棒の取付けが容易となる。外壁パネルの使い勝手が良くなり、外壁の組立作業の効率も向上する。
【００６１】
また、リブの前板と後板を６０°に傾けた傾斜板で連設することにより、リブ自体の強度を向上させ、更に、リブを外壁パネルに設置することにより、外壁パネルの強度を落とすことなく、連結棒を取り付けることができる。
【図面の簡単な説明】
【００６２】
【図１】本発明であるリブ及び外壁パネルの実施例１である外壁パネルを使用した外壁の斜視図である。
【図２】本発明であるリブ及び外壁パネルの実施例１である外壁パネルの正面図である。
【図３】本発明であるリブ及び外壁パネルの実施例１である外壁パネルの背面図である。
【図４】本発明であるリブ及び外壁パネルの実施例１である外壁パネルの平面図である。
【図５】本発明であるリブ及び外壁パネルの実施例１である外壁パネルの底面図である。
【図６】本発明であるリブ及び外壁パネルの実施例１である外壁パネルの側面図である。
【図７】本発明であるリブ及び外壁パネルの実施例１である外壁パネルの平面断面図である。
【図８】本発明であるリブ及び外壁パネルの実施例１である外壁パネルの正面断面図である。
【図９】本発明であるリブ及び外壁パネルの実施例１である外壁パネルを使用した外壁にコンクリートを流し込んだ状態の斜視図である。
【図１０】本発明であるリブ及び外壁パネルの実施例１である外壁パネルを使用した外壁から裏板を取り外した状態の裏側斜視図である。
【図１１】本発明であるリブ及び外壁パネルの実施例１である外壁パネルを使用した外壁に化粧材を取り付けた状態の表側斜視図である。
【図１２】本発明であるリブ及び外壁パネルの実施例２であるリブの連結孔が２つの場合の斜視図である。
【図１３】本発明であるリブ及び外壁パネルの実施例２であるリブの連結孔が２つの場合の正面図である。
【図１４】本発明であるリブ及び外壁パネルの実施例２であるリブの連結孔が２つの場合の平面図である。
【図１５】本発明であるリブ及び外壁パネルの実施例２であるリブの連結孔が２つの場合の側面図である。
【図１６】本発明であるリブ及び外壁パネルの実施例２であるリブの連結孔が２つの場合の側面断面図である。
【図１７】本発明であるリブ及び外壁パネルの実施例２であるリブの連結孔が３つの場合の正面図である。
【図１８】本発明であるリブ及び外壁パネルの実施例２であるリブの連結孔が３つの場合の側面断面図である。
【符号の説明】
【００６３】
１        外壁
１ａ      裏板
１ｂ      化粧材
２        外壁パネル
２ａ      発泡スチロール
２ｂ      上凹凸
２ｃ      下凹凸
２ｄ      突条
２ｅ      窪み
２ｆ      縦溝
２ｇ      中央溝
２ｈ      貫通孔
３        リブ
３ａ      リブ
３ｂ      前板
３ｃ      後板
３ｄ      傾斜板
３ｅ      側板
３ｆ      連結孔
３ｇ      補強部
３ｈ      内孔
４        連結棒
４ａ      留具
４ｂ      コーン
４ｃ      留具
５        空間
５ａ      コンクリート
５ｂ      穴
【図１】
2007297862.tif 000003
【図２】
2007297862.tif 000004
【図３】
2007297862.tif 000005
【図４】
2007297862.tif 000006
【図５】
2007297862.tif 000007
【図６】
2007297862.tif 000008
【図７】
2007297862.tif 000009
【図８】
2007297862.tif 000010
【図９】
2007297862.tif 000011
【図１０】
2007297862.tif 000012
【図１１】
2007297862.tif 000013
【図１２】
2007297862.tif 000014
【図１３】
2007297862.tif 000015
【図１４】
2007297862.tif 000016
【図１５】
2007297862.tif 000017
【図１６】
2007297862.tif 000018
【図１７】
2007297862.tif 000019
【図１８】
2007297862.tif 000020